(57)【要約】  本発明は、ガイドシステムに旋回可能に取付け可能なドアを備えたドアアセンブリ用のガイドシステムであって、少なくとも１つの装置対象の前面を覆うことができる閉鎖位置と、停止位置とを備えていて、該停止位置に、ドアがガイドシステムを用いて少なくとも１つの装置対象の前面に対して横方向に、好ましくは側部の収容空洞内に移動可能、好ましくはスライド可能である、ガイドシステムに関しており、このときドア用のガイドシステムは、覆うべき装置対象とは別体の保持構造に取り付けられているか、または形成されており、該保持構造は、室の床に起立するための少なくとも１つの起立面、および／または室の壁に取り付けるための少なくとも１つの取付け装置を有している。
2020514589.tif 000002
【特許請求の範囲】
【請求項１】
ガイドシステムに旋回可能に取付け可能なドアを備えたドアアセンブリ用のガイドシステムであって、少なくとも１つの装置対象の前面を覆うことができる閉鎖位置と、停止位置とを備えていて、該停止位置へ、前記ドアが当該ガイドシステムを用いて前記少なくとも１つの装置対象の前面に対して横方向に、好ましくは側部の収容空洞内に移動可能、好ましくはスライド可能である、ガイドシステムにおいて、
前記ドア（１１，１１’）用の当該ガイドシステムは、覆うべき前記装置対象（１５，１５ａ，１５ｂ，１８）とは別体の保持構造（２）に取り付けられているか、または形成されており、該保持構造（２）は、室（１）の床（１ａ）に起立するための少なくとも１つの起立面（５）、および／または室（１）の壁（１６）に取り付けるための少なくとも１つの取付け装置（６）を有している
ことを特徴とする、ガイドシステム。
【請求項２】
当該ガイドシステムは、前記ドア（１１，１１’）がヒンジ（８，８’）を用いて固定されているコラム（７，７’）を有しており、前記コラム（７，７’）は、好ましくはレール（９）またはアコーディオン機構を用いて、前記少なくとも１つの装置対象（１５，１５ａ，１５ｂ，１８）の前面に対して横方向に、かつ前記少なくとも１つの装置対象（１５，１５ａ，１５ｂ，１８）の横に隣接してそれ自体に対して平行に前記保持構造（２）に沿ってスライド可能または移動可能である、
請求項１記載のガイドシステム。
【請求項３】
前記保持構造（２）は、鉛直に立っている、好ましくはほぼ方形のプレート（３）を有している、
請求項１または２記載のガイドシステム。
【請求項４】
前記少なくとも１つの起立面（５）は、前記プレート（３）の下側の端縁に形成されているか、または取り付けられている、
請求項３記載のガイドシステム。
【請求項５】
前記少なくとも１つの取付け装置（６）は、前記プレート（３）の後ろ側の長手方向縁に形成されているか、または取り付けられている、
請求項３または４記載のガイドシステム。
【請求項６】
前記保持構造（２）は、側部のカバープレート（１３，１３’）を有している、
請求項１から５までのいずれか１項記載のガイドシステム。
【請求項７】
前記側部のカバープレート（１３，１３’）は、好ましくはスペーサアングル（５，５ａ，６）を介して、前記プレート（３，３’）に対して平行に配置されており、前記カバープレート（１３，１３’）と前記プレート（３，３’）との間に、前記ドアのための側部の収容空洞が形成されている、
請求項６および請求項３から５までのいずれか１項記載のガイドシステム。
【請求項８】
前記ドア（１１，１１’）のための当該ガイドシステムは、前記側部の収容空洞（１４）の内部に配置されている、
請求項１から７までのいずれか１項記載のガイドシステム。
【請求項９】
請求項１から８までのいずれか１項記載のガイドシステムと、前記ガイドシステムに旋回可能に、かつ好ましくは解離可能に取り付けられたドア（１１，１１’）とを備えたドアアセンブリ。
【請求項１０】
前記ドアは、２つのドア扉（１１ａ，１１ｂ）を備えたフォールディングドア（１１）として形成されており、前記両ドア扉は、フォールディングドアヒンジ（１２）を介して互いに旋回可能に結合されていて、かつ第１のドア扉（１１ａ）は、前記ガイドシステムに結合されている、
請求項９記載のドアアセンブリ。
【請求項１１】
第２のドア扉（１１ｂ）が、上側領域においてキャリッジ（１６）に枢着結合されており、該キャリッジ（１６）は、保持構造（２）に結合されたレール（１４’）上を走行可能である、
請求項１０記載のドアアセンブリ。
【請求項１２】
少なくとも１つの、好ましくは少なくとも２つの互いに並んで位置している装置対象（１５，１５ａ，１５ｂ，１８）と、少なくとも１つの、前記装置対象に隣接して配置された、請求項９から１１までのいずれか１項記載のドアアセンブリとを備えた装置アセンブリ。
【請求項１３】
両側において前記少なくとも１つの装置対象に隣接して、請求項９から１１までのいずれか１項記載の、それぞれ１つのドアアセンブリが配置されている、
請求項１２記載の装置アセンブリ。
【請求項１４】
１つまたは複数の前記ドアアセンブリの１つまたは複数の前記ドア（１１，１１‘）は、閉鎖位置において一平面内に位置していて、かつ前記装置対象（１５，１５ａ，１５ｂ，１８）を、好ましくはほぼ完全に覆っている（図１１、図１２、図１９）、
請求項１２または１３記載の装置アセンブリ。
【請求項１５】
１つまたは複数の前記ドアアセンブリの１つまたは複数の前記ドアは、閉鎖位置において保持構造（２）をも、特に前記保持構造の収容空洞（１４）を側部のカバープレート（１３）を含めて、前面において、好ましくはほぼ完全に覆っている、
請求項１４記載の装置アセンブリ。
【請求項１６】
少なくとも１つの前記装置対象（１５，１５ａ，１５ｂ，１８）が、互いに平行な２つの鉛直な側壁を備えた家具本体（１５，１５ａ，１５ｂ）を有しており、前記側壁の間に、好ましくは引出し（１６’）および／または引出し底（１７）が配置されている、
請求項１２から１５までのいずれか１項記載の装置アセンブリ。
【請求項１７】
少なくとも１つの前記装置対象が、電気機器（１８）、好ましくは、例えばレンジ、冷蔵庫または食洗機のような白物家電である、
請求項１２から１６までのいずれか１項記載の装置アセンブリ。
【請求項１８】
少なくとも１つの前記装置対象（１５，１５ａ，１５ｂ，１８）が、室（１）の床（１ａ）に起立している、
請求項１２から１７までのいずれか１項記載の装置アセンブリ。
【請求項１９】
少なくとも１つの前記装置対象（１５，１５ａ，１５ｂ，１８）が、室（１）の壁（１ｂ）に取り付けられている、
請求項１２から１８までのいずれか１項記載の装置アセンブリ。
【請求項２０】
少なくとも２つの、好ましくはそれ以上の前記装置対象（１５，１５ａ，１５ｂ，１８）が、互いに列を成して互いに並んで位置していて、１つのユニット、好ましくはキッチンユニットを成している、
請求項１２から１９までのいずれか１項記載の装置アセンブリ。
【請求項２１】
側方に互いに並んで位置している前記装置対象は、ほぼ直方体形状の外寸を、好ましくは等しい高さおよび等しい奥行きを有している、
請求項１２から２０までのいずれか１項記載の装置アセンブリ。
【請求項２２】
互いに並んで位置している前記装置対象（１５，１５ａ，１５ｂ，１８）の幅は、好ましくは３０ｃｍ、４５ｃｍ、６０ｃｍ、および／または９０ｃｍ幅を有する、規定の幅寸法パターンから選択されている、
請求項２１記載の装置アセンブリ。
【請求項２３】
特に請求項１２から２２までのいずれか１項記載の装置アセンブリを取り付けるための方法であって、下記のステップ、すなわち、
- 室の床および／または室の壁に保持構造を適正に設置し、かつ／または固定するステップであって、前記保持構造が、ドアを直線的に移動可能にかつ旋回可能に支持するためのガイドシステムを有している、ステップと、
- 次いで、前記保持構造の直ぐ横に隣接して、前記室の床および／または前記室の壁に、少なくとも１つの装置対象を適正に設置し、かつ／または固定するステップと、
を有することを特徴とする、装置アセンブリを取り付けるための方法。
【請求項２４】
- 好ましくはほぼ鏡面対称に形成された、２つの保持構造を、適正に互いに間隔をおいて前記床に設置し、かつ／または前記壁に固定し、それぞれの前記保持構造は、ドアのためのガイドシステムを備えており、
- 次いで、前記両保持構造の間の空間において、前記装置対象を、前記室の床に設置し、かつ／または前記室の壁に懸吊する、
請求項２３記載の方法。
【請求項２５】
特に請求項１２から２２までのいずれか１項記載の装置アセンブリを取り付けるための方法であって、下記のステップ、すなわち、
- 室の床および／または室の壁に、少なくとも１つの、好ましくは覆うべきすべての装置対象を、適正に設置し、かつ／または固定するステップと、
- 次いで、前記室の床および／または前記室の壁に、少なくとも１つの保持構造を、それぞれ前記装置対象の直ぐ横において位置適正に設置し、かつ／または固定するステップであって、それぞれの前記保持構造が、ドアを直線的に移動可能にかつ旋回可能に支持するためのガイドシステムを有している、ステップと、
を有することを特徴とする、装置アセンブリを取り付けるための方法。
【請求項２６】
前記ガイドシステムの前記支持構造を適正に設置または固定する前に、前記ドアを所属の前記ガイドシステムに結合する、
請求項２３から２５までのいずれか１項記載の方法。
【請求項２７】
少なくとも１つの前記装置対象を前記保持構造に隣接して設置または固定した後で、前記ドアを所属の前記ガイドシステムに結合する、
請求項２３から２５までのいずれか１項記載の方法。
【発明の詳細な説明】
【技術分野】
【０００１】
本発明は、ガイドシステムに旋回可能に取付け可能なドアを備えたドアアセンブリ用のガイドシステムであって、少なくとも１つの装置対象の前面を覆うことができる閉鎖位置と、停止位置とを備えていて、該停止位置に、ドアがガイドシステムを用いて少なくとも１つの装置対象の前面に対して横方向に、好ましくは側部の収容空洞内に移動可能、好ましくはスライド可能である、ガイドシステムに関する。本発明はさらに、このようなガイドシステムを備えたドアアセンブリ、およびこのようなドアアセンブリを備えた装置アセンブリに関する。最後に本発明はまた、装置アセンブリを取り付けるための方法にも関する。
【０００２】
通常、家具本体は、旋回ドアまたはスライドドアによって閉鎖される。この場合の欠点としては、開放された状態においてもドアは室内にある、またはスライドドアの場合には完全な開放を許さないということがある。このような欠点を回避するために、既に、ドアをまずは側方に向かって移動させ、かつその後で、家具本体の前面に対して垂直に方向付けられた側部の収容空洞内にスライドさせることが提案されている（例えばスイス国特許発明第６９３０７０号明細書（CH 693070 A5））。
【０００３】
公知の解決策では、収容空洞は家具本体内に組み込まれている。したがってこの家具本体は、特殊な家具本体である。このとき２つの変化形態が存在する。すなわち第１の変化形態では、ドアは旋回ドアであり、この旋回ドアは、空洞からの引出し後に鉛直な旋回軸を中心にして１回旋回可能であり、これによって家具本体を閉鎖することができる。第２の変化形態では、ドアはフォールディングドアであり、このフォールディングドアは、空洞からの引出し後に広げることができ、このときフォールディングドアの２つのドア扉は、フォールディングドアヒンジを介して互いに旋回可能に結合されている。これによって家具本体の比較的大きな前面を覆うことができる。それにもかかわらず、ドアを収容空洞内にスペースを節減して停止させることができる（停止位置）。
【０００４】
本発明の課題は、１つまたは複数の装置対象の前面の開閉の可能性が、従来公知の解決策に対して広げられている、ガイドシステムおよびドアアセンブリならびに相応の装置アセンブリを提供することである。また、装置アセンブリのための、迅速かつ効果的に実施可能な取付け方法を提供することが望まれている。
【０００５】
このことは、請求項１記載のガイドシステム、請求項９記載のドアアセンブリ、請求項１２記載の装置アセンブリ、および請求項２３または２５記載の、装置アセンブリを取り付けるための方法によって解決される。
【０００６】
本発明に係るガイドシステムによって、標準化された家具本体、例えば設定された幅パターンを有する家具本体を、しかしながらまた例えば電気機器（白物家電）のような他の装置対象をも、閉鎖位置においてその前面を覆うこと、および次いで少なくとも１つのドアを側部の停止位置において、特に収容空洞内において収容することが可能である。このときガイドシステムもしくはドアアセンブリは、自立式の単体構造を有しており、この構造はしたがって家具本体自体の特殊構成を必要としない。このことは、特に装置対象として、しばしば、ドアのための側部の収容空洞の支持構造を接続するための閉鎖された面を側部に有していない電気機器を使用する場合に重要である。また家具本体は、ドアの全高にわたって延びている必要はない。例えば、アンダキャビネットの前面だけを覆うこと、またはキッチンにおいて通常であるように、アンダキャビネットと、アンダキャビネットに対して減じられた奥行きを有するオーバキャビネットとを覆うことも可能である。
【０００７】
つまり全体として本発明の基本思想は、覆うべき装置対象と、該装置対象を覆うためのガイドシステムもしくはドアアセンブリとは、互いにほぼ無関係であり、このことは、装置対象とガイドシステムもしくはドアアセンブリとが、安全目的のために最後の取付け工程において相互に互いに結合されるということをも排除しない。しかしながらこのような結合は、従来技術とは異なり原則的に不要である。
【０００８】
本発明に係るガイドシステムもしくは本発明に係るドアアセンブリは、また２つの異なった取付け方法を可能にする。すなわち一方の取付け方法では、まずドアアセンブリもしくはガイドシステムを、室の床に設置し、かつ／または室の壁に取り付け、かつ次いでその直ぐ横に隣接して装置対象（家具本体および／または電気機器）を組み立てることが可能である。しかしながらまた逆の取付け経過も可能であり、この取付け経過では、まず装置対象が、特に家具パターンに合わせて室において設置され、かつ次いで本発明に係るガイドシステムもしくは本発明に係るドアアセンブリが取り付けられる。
【０００９】
両取付け方法において、装置対象の設置と、本発明に係るドアアセンブリもしくは本発明に係るガイドシステムの設置とは、互いにほぼ無関係である。したがってこのことはまた、時間的に異なった時点において行うこともできる。また装置対象のためと、ガイドシステムもしくはドアアセンブリのためとに、異なった供給業者を設定することも可能である。例えば家具量販店もしくはキッチンメーカが装置対象を供給し、これに対してドアアセンブリ、もしくは少なくともこのようなドアアセンブリ用のガイドシステムは、取付け具メーカから供給されることが可能である。
【００１０】
ちなみにドア自体は、取付け具メーカによるガイドシステムの供給時に、家具量販店もしくはキッチンメーカから供給されてもよく、このようにすると、デザインを装置対象に合わせることができる。しかしながらいずれにせよガイドシステムの技術は、取付け具メーカが無関係に提供することができる。しかしながらまたもちろん、取付け具メーカがその技術を家具量販店に提供し、かつ家具量販店が次いで装置アセンブリ全体を、上に記載された両取付け方法のうちの１つの取付け方法において現場で設置することも可能である。
【００１１】
本発明のさらなる利点および詳細については、以下の図面の記載を用いて詳説する。
【図面の簡単な説明】
【００１２】
【図１】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図２】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図３】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図４】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図５】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図６】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図７】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図８】略示された室内において、本発明に係るガイドシステム、本発明に係るドアアセンブリ、もしくは本発明に係る装置アセンブリの第１実施形態を、装置アセンブリを取り付けるための方法の第１の変化形態において示す図である。
【図９】図８に示された開放位置（停止位置）を起点として、ドアの閉鎖の第１ステップを示す図である。
【図１０】ドアの閉鎖の第２ステップを示す図である。
【図１１】ドアの完全な閉鎖位置を示す図である。
【図１２】追加的な側部の家具本体（ウォールキャビネット）を備えた別の実施形態を示す図である。
【図１３】図１〜図８と同様な図示で、まず装置対象が、次いでガイドシステムもしくはドアアセンブリが設置される、もしくは取り付けられる、取付け経過の第２の変化形態を示す図である。
【図１４】図１〜図８と同様な図示で、まず装置対象が、次いでガイドシステムもしくはドアアセンブリが設置される、もしくは取り付けられる、取付け経過の第２の変化形態を示す図である。
【図１５】図１〜図８と同様な図示で、まず装置対象が、次いでガイドシステムもしくはドアアセンブリが設置される、もしくは取り付けられる、取付け経過の第２の変化形態を示す図である。
【図１６】図１〜図８と同様な図示で、まず装置対象が、次いでガイドシステムもしくはドアアセンブリが設置される、もしくは取り付けられる、取付け経過の第２の変化形態を示す図である。
【図１７】図１６に示された開放位置（停止位置）を起点として、装置アセンブリの閉鎖の第１ステップを示す図である。
【図１８】装置アセンブリの閉鎖の第２ステップを示す図である。
【図１９】装置アセンブリの完全な閉鎖位置を示す図である。
【００１３】
図１には、全体が符号１で、例えば建物のキッチンである室が示されている。この室は、床１ａと壁１ｂとを有している。
【００１４】
ドアアセンブリ用の本発明に係るドアシステムの図１に示された実施形態は、以下において図８〜図１０に示された装置対象１５，１５ａ，１５ｂ，１８と別体の保持構造を有しており、この保持構造は、全体が符号２で示されており、かつ図１において既に床１ａに起立して、かつ壁１ｂに接触して設置もしくは取り付けられている。そのために保持構造２は、鉛直に立っているほぼ方形のプレート３の下側に、もしくはこのプレート３に取り付けられた取付けアングル４に、室１の床１ａにおいて起立するための起立面５を有している。
【００１５】
下側におけるこの起立面の代わりに、側部に、壁に取り付けるために、取付けアングルとして形成された取付け装置６が設けられていてもよく、この取付け装置６は、適宜な固定手段、例えばねじおよびだぼを介して壁に固定可能である。
【００１６】
図示の実施形態では、床１ａにおける起立面５と、壁１ｂに取り付けるための取付け装置６とが存在する。しかしながら基本的には、両方（起立面、壁における取付け装置）のうちの１つが設けられていれば十分である。
【００１７】
いずれにせよ、起立面、もしくは壁１ｂに取り付けるための取付け装置は、ガイドシステムの主要な技術的な部分（これらについては以下においてさらに詳しく説明する）を、少なくとも１つの覆うべき装置対象とは無関係に、位置的に確実に室１に取り付けることを可能にする（図１参照）。
【００１８】
技術的な観点から、図１に示されたガイドシステムは本実施形態では、鉛直に方向付けられたコラム７を有しており、このコラム７には、後で図３が示すように、ドア（正確にはフォールディングドア）がヒンジ８を介して解離可能に固定可能である。
【００１９】
図１において円で示された領域Ａは、図１において左側に拡大された寸法で示されている。
【００２０】
ヒンジ８を有する鉛直なコラム７は、それ自体に対して平行に、水平なレール９に沿ってローラ１０を用いて水平に走行可能である。
【００２１】
図１には、コラム７の後ろ（押し込み）側の位置が示されており、この位置は、ドアアセンブリの後の停止位置に相当する。
【００２２】
図２においてコラム７は、前（引き出し）側の位置にスライドさせられており、この位置からドアアセンブリは、後で示すように、ヒンジ８を介して閉鎖位置に移動させることができる。
【００２３】
図３には、２つのドア扉１１ａ，１１ｂを備えたフォールディングドア１１が示されており、両ドア扉１１ａ，１１ｂは、フォールディングドアヒンジ１２を介して互いに旋回可能に結合されている。このフォールディングドア１１のうちのドア扉１１ａは、コラム７のヒンジ８に旋回可能に結合されている。この結合はまた解離可能であり、このときドア扉１１ａに予め取り付けられた取付け具を設けることが可能であり、これらの取付け具は、ヒンジ８のヒンジアームと自体公知の形式で連結可能である。
【００２４】
図４には、図３を起点として、停止位置に押し込まれたフォールディングドア１１が示されている。
【００２５】
図５に示されているように、ドアアセンブリは、好ましくはプレート３に対して平行に方向付けられた側部のカバープレート１３を有しており、このカバープレート１３は、床におけるアングル５、天井におけるアングル５ａ、および壁における取付け装置６を介して、プレート３に結合することができる。もちろん他の結合可能性も考えることができ、かつ特に、結合が、起立面を形成する床アングル、もしくは壁のための取付け装置を形成する、壁の取付けアングルを介して、行われるのではない別の結合構造も可能である。重要なことは、両プレート３，１３の間に、停止位置におけるドア１１のための、好ましくは比較的狭い収容空洞１４が形成されることである（図５参照）。
【００２６】
図１〜図５における取付け経過においてさらに述べると、この取付け経過は主として、図示技術的な理由からガイドシステムの内部構造がよく見えるように選択されている。したがって、側部のカバープレート１３を既に前もって、例えば家具量販店において、またはそれどころか取付け具メーカにおいて取り付けることが可能であり、かつまた有利であり、このようにすると、２つの側部のプレート３，１３を備えた完成した収容空洞１４を得ることができる。このときドア１１は、既に予め取り付けられていてよいが、しかしながらまた、ドア１１を現場において取り付けることも可能であり、このことは、ドアの重量に基づく運搬技術的な理由から多くの場合好適であると見なすことができる。要するに、ドアは図１〜図７における図示とは異なり、最後に初めて取り付けることが可能であり、このことはそれどころか、図８に示されているように装置対象が取り付けられた後で行うことも可能である。
【００２７】
図６には、第２のガイドシステムもしくは第２のドアアセンブリが示されており、この第２のガイドシステムもしくは第２のドアアセンブリは、図５に示された第１のドアアセンブリに対してほぼ鏡面対称に構成されていて、かつ室１内において第１のドアアセンブリから間隔をおいて設置される。第２のドアアセンブリもしくは第２のガイドシステムの符号は、「’」を付されており、図６においてその他の点では、第１のガイドシステムもしくは第１のドアアセンブリに対するものと同じ符号が使用される。
【００２８】
つまり図７においては、まず２つのガイドシステムもしくはドアアセンブリが、互いに設定された間隔をおいて適正な位置で室１内に設置され、次いで水平なレール１４’によって互いに結合され、この水平なレール１４’に沿って、フォールディングドア１１もしくはフォールディングドア１１’のドア扉１１ｂの上に配設されたキャリッジ１６が走行可能である。
【００２９】
図８には、本発明の基本思想による、ガイドシステムもしくはドアアセンブリの自立式（autonom）の単体構造（selbsttragend）の保持構造が示されている。ガイドシステムもしくはドアアセンブリの直ぐ横には、もしくは両ドアアセンブリの間の空間には、いまや自立式のガイドシステムもしくは自立式のドアアセンブリとは完全に無関係に、本発明に係る装置アセンブリを完成させるために、装置対象を配設することができる。このとき装置対象は、極めて複雑化されたフォールディングドアを収容空洞も一緒に保持するための特別な構成を有する必要がない、標準装置対象であってよい。特に、装置対象は、互いに平行な２つの鉛直な側壁を備えた家具本体１５を有することができ、両側壁の間には、例えば引出し１６’または引出し底１７が配置されていてよい。また図８に示されているように、アンダキャビネットが設けられていて、このアンダキャビネットが大きな奥行きを有しており、これに対して壁に懸吊されたオーバキャビネットは、比較的僅かな奥行きを有することも可能である。
【００３０】
本来の家具本体の他に、装置対象が電気機器を含むこともまた可能である。図示の実施形態では電気機器１８は、オーブンを備えたレンジである。このような電気機器は、多くの場合側部に閉鎖された壁を有しておらず、このことはドアアセンブリの本発明に係る独立した構成によってはまた必要なことではない。なぜならばドアアセンブリは、まさに図７に示されているように、自立式に「起立している」からである。
【００３１】
図９〜図１１には、図８に示された停止位置を起点とした、装置アセンブリの閉鎖過程が個々のステップにおいて示されている。
【００３２】
まずフォールディングドア１１；１１’は、プレート３，１３もしくはプレート３’，１３’の間におけるそれぞれの収容空洞から引き出され、このときコラム７は、ガイドレール９に沿って前方に向かって移動する。フォールディングドアのそれぞれ内側のドア扉におけるキャリッジ１６は、図９においては示されていないが、図１０においては良く見える。キャリッジ１６は、水平なレール１４において走行することができ、このときフォールディングドア１１は広がり、つまり両ドア扉１１ａ，１１ｂは、フォールディングドアヒンジ１２を介して開放旋回する。このことは、図１０の右側において良く分かる。
【００３３】
図１１には、最後に完全な閉鎖位置が示されており、この閉鎖位置では、ドア扉１１ａ，１１ａ’が側部のプレート３；３’の端面を閉鎖ポジションにおいて完全に覆っていることも良く分かり、このことは、前方からの均一でかつ連続した外観を可能にする。これによってまた、様々な間隙なしに、例えばキャビネット１７として形成された別の家具本体を側部に接続することも可能である（図１２参照）。
【００３４】
フォールディングドア扉１１ａ，１１ｂの移動に関して言えば、これは手によって行うことができ、このときここでは図示されていない嵌め込まれたドアグリップが可能であり、これらのドアグリップは、突出していない、もしくは内方旋回可能であり、これによってフォールディングドアを所属の収容空洞内に押し込むことが可能である。
【００３５】
また、この移動を少なくとも部分的に、図示されていない蓄力器（ばね）によって促進することも可能である。特に可能な実施形態では、ばねによって荷重が加えられたタッチラッチ装置が設けられており、このタッチラッチ装置は、空洞内に位置しているフォールディングドアを後方に向かって過剰押圧した場合に、フォールディングドアをばね力によって前方に向かって移動させることができ、これによりフォールディングドアを手によって良好に把持することができる。次いでさらなる閉鎖移動を手によって行うことができる。しかしながらまた別の可能な実施形態では、ヒンジ８もしくはフォールディングドアヒンジ１２に、閉鎖移動を促進する拡開ばねが設けられている。基本的にはまた、駆動を電気を利用して促進すること、または完全に電気駆動によって実行することも可能である。これらすべての駆動バリエーションが、考えられ、かつ可能である。
【００３６】
図１３〜図１６には、本発明の別の好適な方法によって可能である、択一的な逆の取付け経過が示されている。ここでは、先行する図面において示されたのと類似の室内に、まず、アンダキャビネット１５ａおよびオーバキャビネット１５ｂとして形成された、好ましくは標準化された家具本体が組み立てられる（図１３）。次いで、図１４および図１５に示されているように、鉛直なプレート３；３’を備えた、本発明に係るガイドシステムの実施形態が左右に設置される（図１４および図１５参照）。
【００３７】
この場合でも、これらの構造ユニットを予め収容空洞に収容した状態で供給することができ、これによって迅速な組立てを可能にすることができる。このとき構造ユニットを、収容空洞もしくは「ポケット」の側部において、予め設置された装置対象１５ａ，１５ｂの側部に結合することは、たとえそれが必然的に行われ得るとしても、不要である。いずれにせよ側部の「ポケット」もまた、自立式に起立することができ、かつ床および／または壁に固定することができる。
【００３８】
図１６にはさらに別の組立てステップが示されており、この組立てステップにおいて、好ましくは２部分から形成されたレール１４が取り付けられている。図１７において右側のフォールディングドア１１は、既に取り付けられかつ閉鎖されている。左側のフォールディングドア１１’は、所属のヒンジ８’にまだ取り付けられていない。左側のフォールディングドア１１’は、図１８において初めて取り付けられており、このときここでは左側のフォールディングドア１１’は、空洞から引き出された位置であって、まだ閉鎖されていない位置において示されている。
【００３９】
図１９にはさらに、ほぼ図１１に相当する完全な閉鎖位置が示されている。
【００４０】
本発明は、もちろん図示の実施形態に制限されるものではなく、例えば、本発明に係るガイドシステムもしくは本発明に係るドアアセンブリ（ポケット）は、片側にだけ、かつ図面に示されているように両側にではなく配置することも可能である。
【００４１】
またドアは、フォールディングドアでなくてもよい。このとき覆うことができる幅領域は比較的小さいが、ドアは通常の旋回ドアであっても十分である。
【００４２】
図示の実施形態では、フォールディングドア１１のキャリッジ１６は、コラム７の上端部に配置されているキャリッジスタブ１６ａ上に乗り上げる（図１における詳細図Ａ参照）。これによってフォールディングドア１１の、キャリッジスタブ１６ａにおいて停止されたキャリッジ１６は、コラム７と一緒に収容空洞１４内に走入することができる。このときこの構成は、「パークアンドライド構造」である。択一的にもちろんまた、レール１４’が、カーブして側部のガイドシステムの空洞内に延長されるような構成も可能である。
【００４３】
もちろんまた、装置対象は、図示の装置対象とは異なっていてよい。まさに本発明の特徴は、家具本体であれまたは電気機器であれ、装置対象の構成は、完全に自由であり、かつ側部のガイドシステムもしくはドアアセンブリとは無関係に選択することができることである。そして従来技術におけるような特殊な部材は不要である。
【図１】
2020514589.tif 000003
【図２】
2020514589.tif 000004
【図３】
2020514589.tif 000005
【図４】
2020514589.tif 000006
【図５】
2020514589.tif 000007
【図６】
2020514589.tif 000008
【図７】
2020514589.tif 000009
【図８】
2020514589.tif 000010
【図９】
2020514589.tif 000011
【図１０】
2020514589.tif 000012
【図１１】
2020514589.tif 000013
【図１２】
2020514589.tif 000014
【図１３】
2020514589.tif 000015
【図１４】
2020514589.tif 000016
【図１５】
2020514589.tif 000017
【図１６】
2020514589.tif 000018
【図１７】
2020514589.tif 000019
【図１８】
2020514589.tif 000020
【図１９】
2020514589.tif 000021
【国際調査報告】
2020514589.tif 000022
2020514589.tif 000023
2020514589.tif 000024
2020514589.tif 000025
2020514589.tif 000026
2020514589.tif 000027